(57)【特許請求の範囲】
【請求項１】
薬液を収容したシリンジ外筒を保持するシリンジ保持手段と、上記シリンジ外筒に挿入された押し子を保持するとともに押動させて上記薬液を押し出す押動手段とを備えるシリンジポンプにおいて、
上記押動手段は、上記押し子のフランジ部に当接させられてシリンジの軸方向に押圧する押圧面と、上記押圧面に対して直角方向に移動可能に設けられて上記押し子のフランジ部を上記押圧面との間で挟圧保持できる押し子保持部材とを備えるとともに、
上記押し子保持部材は、上記押圧面に対して直角方向に移動可能な範囲内であるとともに、上記フランジ部の厚さに対応した軸方向位置において、上記フランジ部を上記押圧面との間で挟圧保持する保持姿勢と、
上記シリンジの軸方向及び半径方向外方に離れる方向に変位させられて、上記フランジ部を開放する退避姿勢とをとることができる１又は２以上のフォーク部を備えて構成されている、シリンジポンプ。
【請求項２】
上記シリンジの軸方向に延びる軸方向溝及びこの軸方向溝の押動方向端部から上記シリンジの軸に対して離間する方向に傾斜して延びる傾斜溝を備える案内溝を設ける一方、
上記フォーク部からシリンジの軸方向に延出させた案内アームに、上記案内溝に係合して摺動させられる一対の摺動ピンを設け、
上記一対の摺動ピンを上記軸方向溝内で摺動させることにより上記フォーク部をシリンジの軸方向に移動させて、上記押し子のフランジ部を上記押圧面との間で挟圧保持する一方、
押動方向前方の摺動ピンを上記傾斜溝内に突入させることにより上記フォーク部を上記シリンジの軸から離間させて、上記押し子のフランジ部を開放するように構成した、請求項１に記載のシリンジポンプ。
【請求項３】
上記フォーク部を、上記押圧面に対して近接する方向に弾力付勢する弾力付勢手段と、
上記弾力に抗して、上記フォーク部を上記押圧面から離間させるとともに、上記押し子のフランジ部を開放する開放手段とを設けた、請求項１又は請求項２のいずれか１項に記載のシリンジポンプ。
【請求項４】
上記弾力付勢手段は、上記フォーク部が上記押圧面に近接するように、上記案内アームを弾力付勢するバネ手段である、請求項３に記載のシリンジポンプ。
【請求項５】
上記開放手段は、シリンジの軸に平行な軸回りに回動可能に保持された操作部と、
上記操作部に連結されて回動操作される押動片と、
上記押動片によって上記シリンジの軸方向に伸縮するように変位させられることにより、上記案内アームを軸方向動させるリンク機構とを備えて構成される、請求項３又は請求項４のいずれか１項に記載のシリンジポンプ。
【請求項６】
押し子のフランジ部を挟圧する上記押し子保持部材をロックするロック機構を設けた、請求項１から請求項５のいずれか１項に記載のシリンジポンプ。
【請求項７】
上記押し子の有無を検出する検出手段を設けた、請求項１から請求項６のいずれか１項に記載のシリンジポンプ。
【請求項８】
上記検出手段は、上記押圧面に設けられた検出ピンを備えて構成される、請求項７に記載のシリンジポンプ。
【請求項９】
上記検出手段は、上記フォーク部ないし上記案内アームの軸方向位置を検出する位置センサを備えて構成されている、請求項７に記載のシリンジポンプ。
【請求項１０】
薬液を収容したシリンジ外筒を保持するシリンジ保持手段と、上記シリンジ外筒に挿入された押し子を保持するとともに押動させて上記薬液を押し出す押動手段とを備えるシリンジポンプにおける上記押し子の保持方法であって、
上記押動手段は、上記押し子のフランジ部に当接させられてシリンジの軸方向に押圧する押圧面と、１又は２以上のフォーク部との間で、上記フランジ部を弾性的に挟圧保持するように構成されており、
上記フォーク部は、上記押圧面に対して直角方向に移動させられる範囲において、上記フランジ部を弾性的に挟圧保持するとともに、
上記フォーク部を、上記シリンジの軸方向及び半径方向外方に退避させることにより、上記フランジ部を開放する、押し子の保持方法。
【発明の詳細な説明】
【技術分野】
【０００１】
本願発明は、シリンジポンプ及び押し子の保持方法に関する。詳しくは、シリンジの押し子を、押動手段に対して確実に保持して薬液を吐出できるシリンジポンプに関する。
【背景技術】
【０００２】
シリンジポンプは、ＩＣＵ等において、栄養補給や輸血、麻酔剤の注入等を高い精度で行う場合に用いられることが多い。上記シリンジポンプは、薬液を収容したシリンジの外筒を種々のクランプ機構を用いて不動状態に位置決め保持する一方、上記シリンジ外筒に挿入された押し子をシリンジの軸方向に移動するスライダ等の押動手段に連結固定し、上記押し子を上記シリンジ外筒に所定の速度で押し込むことにより、薬液を吐出するように構成されている。
【０００３】
上記押し子を上記押動手段に連結しないで上記シリンジポンプを作動させると、吐出側に引圧が発生した場合、上記押し子が上記引圧によって上記シリンジ外筒に入り込み、薬液の急速注入すなわちサイフォニング現象が発生する恐れがある。
【０００４】
上記問題を回避するため、上記押し子を上記押動手段に確実に連結保持するとともに、上記押し子のフランジ部が押動手段から外れた場合にこれを検出するタッチセンサ等を設け、警報等を発生するように構成されることが多い。
【０００５】
【特許文献１】特開２００５−５２３６７
【発明の開示】
【発明が解決しようとする課題】
【０００６】
上記特許文献１に記載されているシリンジポンプは、押し子のフランジ部を押動する押圧面に、開閉回動可能に保持されるとともに閉じる方向に弾力付勢された一対のアーム部材を設け、このアーム部に上記フランジ部を押圧面に対して押し付ける傾斜面を設けて構成されている。上記傾斜面を設けることにより、押し子の外径やフランジ部の厚みが異なる複数種類のシリンジを、ガタなく装着することができるとしている。
【０００７】
しかしながら、上記傾斜面を設ける手法では、上記傾斜面の厚さの変化のみによってフランジ部の厚さに対応しなければならないため、広い範囲のフランジ部の厚さに対応するには限りがある。
【０００８】
しかも、上記手法では、傾斜面のくさび作用を利用しているため、上記傾斜面と上記フランジ部表面との間の摩擦力が大きくなる。このため、上記アーム部をフランジ部から離間させる際に大きな力を要することになる。さらに、上記フランジ部と上記傾斜面とは点接触で接することになるため、上記傾斜面が摩耗してガタが発生する恐れもある。
【０００９】
また、上記手法では、種々の厚さのフランジ部に対応するためには、傾斜面の長さを大きく設定しなければならず、アーム部の寸法及び回動操作範囲が大きくなるという問題があった。このため、押動部の寸法が増加して、装置の小型化を図ることができない。
【００１０】
本願発明は、上記従来の問題を解決し、シリンジの押し子を確実に保持できるばかりでなく着脱操作を円滑にできるシリンジポンプを提供するものである。
【課題を解決するための手段】
【００１１】
本願の請求項１に記載した発明は、薬液を収容したシリンジ外筒を保持するシリンジ保持手段と、上記シリンジ外筒に挿入された押し子を保持するとともに押動させて上記薬液を押し出す押動手段とを備えるシリンジポンプにおいて、上記押動手段は、上記押し子のフランジ部に当接させられてシリンジの軸方向に押圧する押圧面と、上記押圧面に対して直角方向に移動可能に設けられて上記押し子のフランジ部を上記押圧面との間で挟圧保持できる押し子保持部材とを備えるとともに、上記押し子保持部材は、上記押圧面に対して直角方向に移動可能な範囲内であるとともに、上記フランジ部の厚さに対応した軸方向位置において、上記フランジ部を上記押圧面との間で挟圧保持する保持姿勢と、上記押し子の軸方向及び半径方向外方に離れる方向に変位させられて、上記フランジ部を開放する退避姿勢とをとることができる１又は２以上のフォーク部を備えて構成されたものである。
【００１２】
本願発明では、シリンジの軸方向に移動可能な押し子保持部材を採用することにより、非常に広い範囲のフランジ部の厚さに対応することが可能となる。
【００１３】
また、本願発明では、上記押し子保持部材を、上記押圧面に対して直角方向に移動可能な範囲内であるとともに、上記フランジ部の厚さに対応した軸方向位置において、上記フランジ部を上記押圧面との間で挟圧保持する保持姿勢をとることができるフォーク部を備えて構成している。すなわち、上記フランジ部を挟圧保持し、あるいは挟圧を解除する際には、上記押し子保持部材が上記押圧面に対して直角方向に変位するため、上記フォーク部とフランジ部との間で摩擦力が発生することはなく、押し子の着脱を円滑に行うことができる。
【００１４】
しかも、フランジ部の厚さに対応した範囲で、上記押し子保持部材を上記押圧面に対して直角方向に、すなわちシリンジの軸方向に移動させればよいため、押動手段の半径方向寸法が大きくなる恐れはない。したがって、装置の小型化を図ることもできる。
【００１５】
上記シリンジ保持手段は特に限定されることはなく、シリンジ外筒を確実に保持できれば、種々の形態のものを採用することができる。また、押動手段も上記押し子を、シリンジ外筒に対して押動操作できるものであれば限定されることはない。
【００１６】
また、本願発明に係る上記フォーク部は、上記シリンジの軸方向及び半径方向外方に離れる方向に変位させられて、上記フランジ部を開放する退避姿勢とをとることができるように構成している。
【００１７】
上記フォーク部をシリンジの軸方向のみならず半径方向外方に変位させることにより、シリンジを着脱する際に、外筒や押し子が上記フォーク部と干渉することがなくなる。したがって、シリンジの着脱を容易に行うことができる。
【００１８】
また、シリンジを装着するには、押動手段の押圧面を押し子のフランジ部に当接させなければならない。上記押し子は、シリンジに保持される薬液の量によって軸方向位置が異なる。したがって、上記フランジ部の位置に合わせて押圧面の軸方向位置をあらかじめ設定した後に、シリンジを装着することもできる。しかしながら、上記手法では、シリンジを仮に装着して上記押動手段の概略位置をあらかじめ設定しておく必要がある。このため、装着に手間取る恐れがある。
【００１９】
本願発明では、上記フォーク部を上記フランジ部の厚さに対応した軸方向位置に位置させてフランジ部を挟圧保持できるばかりでなく、フォーク部を上記シリンジの軸方向及び半径方向外方に離れる方向に変位させて、上記フランジ部を開放する退避姿勢をとらせることができる。すなわち、上記フォーク部は、上記フランジ部を挟圧保持しあるいは挟圧を解除する際には、上記押し子保持部材が上記押圧面に対して直角方向に変位するように構成されているばかりでなく、シリンジを着脱する際にシリンジの半径方向外方に変位するように構成されているのである。
【００２０】
上記フォーク部をフランジ部の半径方向外方に退避させることにより、シリンジの外筒をシリンジ保持手段によって固定した後に、上記押動手段を軸方向に移動させ、上記押圧面を上記フランジ部に当接させて位置決めした後に、上記フランジ部を挟圧保持することが可能となる。この結果、シリンジの着脱作業を円滑にかつ確実に行うことが可能となる。
【００２１】
上記フォーク部を軸方向及び半径方向外方に変位させる手法として種々の手法を採用することができる。たとえば、シリンジの軸方向に移動できる案内部材に、フォーク部を回動可能に保持することができる。
【００２２】
また、請求項２に記載した発明のように、上記シリンジの軸方向に延びる軸方向溝及びこの軸方向溝の押動方向端部から上記シリンジの軸に対して離間する方向に傾斜して延びる傾斜溝を備える案内溝を設ける一方、上記フォーク部からシリンジの軸方向に延出させた案内アームに、上記案内溝に係合して摺動させられる一対の摺動ピンを設け、上記一対の摺動ピンを上記軸方向溝内で摺動させることにより上記フォーク部をシリンジの軸方向に移動させて、上記押し子のフランジ部を上記押圧面との間で挟圧保持する一方、押動方向前方の摺動ピンを上記傾斜溝内に突入させることにより上記フォーク部を上記シリンジの軸から離間させて、上記押し子のフランジ部を開放するように構成することができる。
【００２３】
上記一対の摺動ピンは、少なくとも上記軸方向溝の長さ以下の距離をあけて形成されている。したがって、上記一対の摺動ピンが上記軸方向溝内で摺動する場合、上記フォーク部も軸方向に移動させられる。この動きによって、種々の厚さのフランジ部に対応することが可能となる。
【００２４】
一方、上記傾斜溝は、シリンジの軸に対して離間する方向に形成されているため、上記傾斜溝に押動方向前方の摺動ピンが進入すると、上記フォーク部がシリンジの軸の半径方向外方に向けて傾斜するように回動させられる。このため、上記フォーク部を上記フランジ部の半径方向外方に変位させることが可能となる。これにより、上記フォーク部を上記押し子から完全に離間させることが可能となり、シリンジの着脱の際に上記フォーク部がシリンジ外筒や押し子と干渉するのを防止できる。
【００２５】
上記フォーク部を上記フランジ部の外縁部からさらに半径方向外方に位置するまで退避させるのが好ましい。これにより、上記フォーク部を上記退避位置に位置させた状態で押動手段の押圧面を軸方向に変位させて、上記フランジに当接させることも可能となり、シリンジの着脱作業を簡単確実に行うことが可能となる。なお、上記案内溝を設ける部位は特に限定されることはなく、押動手段のハウジング等を利用して設けることもできるし、上記押動手段の内部に別途案内溝を設けた案内部材を設けることもできる。
【００２６】
請求項３に記載した発明は、上記フォーク部を、上記押圧面に対して近接する方向に弾力付勢する弾力付勢手段と、上記弾力に抗して、上記フォーク部を上記押圧面から離間させるとともに、上記押し子のフランジ部を開放する開放手段とを設けたものである。
【００２７】
上記弾力付勢手段を設けることにより、所定の弾力で上記フランジ部を挟圧保持することが可能となり、押圧面とフランジ部の間のガタが発生するのを防止できる。上記弾力は、サイフォニング現象により押し子が変位させられることを防止できる値に設定される。上記弾力付勢手段として、種々の部材や構造を採用することができる。たとえば、空気圧や、請求項４に記載した発明のように、種々の形態のバネを備えて構成されるバネ手段を採用することができる。
【００２８】
一方、上記弾力付勢手段による弾力に抗して、上記フォーク部を押圧面から離間させることにより、フランジ部の連結を開放することができる。上記開放手段も特に限定されることはなく、上記弾力に抗して、上記フォークを変位させるものであれば良い。たとえば、手指を掛止して軸方向動できる操作体を設けることができる。
【００２９】
また、上記操作体に連結されたカムやリンク機構を利用して、上記開放手段を構成することができる。
【００３０】
たとえば、請求項５に記載した発明のように、上記開放手段を、シリンジの軸に平行な軸回りに回動可能に保持された操作部と、上記操作部に連結されて回動操作される押動片と、上記押動片によって上記シリンジの軸方向に伸縮するように変位させられることにより、上記案内アームを軸方向動させるリンク機構とを備えて構成することができる。
【００３１】
回動操作できる操作部を設けることにより、操作性が向上する。また、リンク機構を採用することにより、上記操作部の小さな回動操作角度で、上記フォーク部の大きな軸方向動を得ることが可能となる。
【００３２】
請求項６に記載した発明は、押し子のフランジ部を挟圧する上記押し子保持部材をロックするロック機構を設けたものである。
【００３３】
上記ロック機構は、上記押し子保持部材を、上記押動手段に対してフランジ部等の厚さに応じた所望の位置で位置決め固定できればよく、種々の手法を採用できる。たとえば、上記フランジ部を上記押し子保持部材と押圧面の間に挟持した後、摩擦力や弾性力によって上記押し子保持部材の変位を規制する、規制部材を設けることができる。
【００３４】
また、請求項３に記載した発明のように、弾力によって押し子のフランジ部を挟圧保持できる場合であっても、上記弾力以上の力が押し子保持部材に作用すると、上記押し子が変位する恐れがある。たとえば、装着したシリンジに使用者の手指や異物が衝突した場合、上記押し子を押動させたり、フランジ部が押動部から外れる事態も考えられる。したがって、このような不測の事態に対する安全対策として、ロック機構を設けるのが好ましい。
【００３５】
さらに、上記ロック機構は、押し子保持部材を所定の位置で位置決め保持できるように構成するのが好ましい。なお、少なくとも、上記フランジ部が上記押動手段の押圧面から離脱するのを防止できるように構成すれば効果を期待できる。
【００３６】
本願の請求項７に記載した発明は、上記押し子の有無を検出する検出手段を設けたものである。
【００３７】
上記検出手段として、種々の手法を採用できる。たとえば、請求項８に記載した発明のように、押圧面に検出ピンを突出させ、押し子のフランジ部が上記検出ピンを押し込むことにより、押し子の有無を検出するように構成することができる。
【００３８】
請求項９に記載した発明は、上記検出手段を、上記フォーク部ないし上記案内アームの軸方向位置を検出する位置センサを備えて構成したものである。
【００３９】
本願発明では、上記フォークが軸方向動させられるため、上記フォーク部ないし案内アームの軸方向位置を検出することにより、上記押し子の有無を検出することが可能となる。
【００４０】
上記検出ピンを突出させる手法では、押圧面に薬液が付着すると、上記検出ピンの動きが悪くなり、誤動作等が生じる恐れも考えられる。一方、フォーク部ないし案内アームの軸方向位置は、押動手段のハウジング内部で検出することができる。このため、上記構成を採用することにより、押圧面に検出ピン等を突出させる必要がなくなり、薬液等が上記検出ピンに固着等して、誤動作が生じる恐れもなくなる。
【００４１】
請求項１０に記載した発明は、薬液を収容したシリンジ外筒を保持するシリンジ保持手段と、上記シリンジ外筒に挿入された押し子を保持するとともに押動させて上記薬液を押し出す押動手段とを備えるシリンジポンプにおける上記押し子の保持方法であって、上記押動手段は、上記押し子のフランジ部に当接させられてシリンジの軸方向に押圧する押圧面と、１又は２以上のフォーク部との間で、上記フランジ部を弾性的に挟圧保持するように構成されており、上記フォーク部は、上記押圧面に対して直角方向に移動させられる範囲において、上記フランジ部を弾性的に挟圧保持するとともに、上記フォーク部を、上記シリンジの軸方向及び半径方向外方に退避させることにより、上記フランジ部を開放する
ように構成したものである。
【００４２】
請求項１０に記載した発明では、上記フォーク部が上記押圧面に対して直角方向に移動させられる範囲において、上記フランジ部を挟圧保持し、一方、上記フォーク部を、上記シリンジの軸方向及び半径方向外方に退避させることにより、上記フランジ部を開放する
ように構成されているため、非常に広い範囲のフランジ部厚さに対応することが可能となる。
【発明を実施するための最良の形態】
【００４３】
以下、本願発明の実施形態を図に基づいて具体的に説明する。
【００４４】
シリンジポンプ１は、図示しないシリンジ外筒を保持するシリンジ保持手段２と、上記シリンジ外筒に挿入された押し子を保持するとともに押動させて上記薬液を押し出す押動手段３とを備えて構成される。
【００４５】
本実施形態に係る上記シリンジ保持手段２は、シリンジポンプのハウジングにシリンジ外筒を載置できる略円筒外面状の載置面２ａを設けるとともに、シリンジ外周面ないし鍔部を挟圧保３できるロック機構２ｂを備えて構成されており、シリンジ外筒の軸方向動を阻止した状態で固定できるように構成されている。
【００４６】
上記押動手段３は、図示しない駆動ネジをモータによって回転させることにより、シリンジの軸方向に移動できるように構成されている。図３及び図４に示すように、上記押動手段３は、シリンジの押し子７のフランジ部７ａに当接させられてシリンジの軸方向に押圧する押圧面６ａを備えるハウジング６と、上記押し子７を、上記押圧面６ａに対して位置決め保持できる一対の押し子保持部材４と、上記押し子保持部材４を操作する操作部５とを備えて構成されている。
【００４７】
図５に示すように、上記押し子保持部材４は、全体が略Ｌ字状に形成されており、シリンジの軸方向に摺動させられる案内アーム４ａと、この案内アーム４ａの先端部から直角方向に屈曲して形成されたフォーク部４ｂとを備えて構成されている。上記案内アーム４ａには、所定間隔をあけて形成された一対の摺動ピン９ａ，９ｂ，８ａ，８ｂがそれぞれ形成されている。本実施形態では、押動方向後方の摺動ピン９ａ，９ｂを、前方の摺動ピン８ａ，８ｂより長く設定している。図４に示すように、上記フォーク部４ｂは、押し子７のフランジ部７ａを、上記押圧面６ａとの間で挟圧保持できるように形成されている。
【００４８】
図６は、上記押動手段３のハウジング６の内部の概略構造を示す図であり、図２におけるＶＩ−ＶＩ線に沿う断面図である。また、図７は、図６におけるＶＩＩ−ＶＩＩ線に沿う断面図である。
【００４９】
図６に示すように、上記ハウジング６の下壁部には、シリンジの軸方向に延びる軸方向溝１１と、この軸方向溝１１の押動方向先端からシリンジの軸から離間する方向に傾斜して延びる傾斜溝１２とを備える案内溝１３が形成されている。上記押し子保持部材４の一対の摺動ピン９ａ，８ａ，９ｂ，８ｂは、上記下壁部の下方から上記案内溝１３に係合させられて、上記案内溝１３内でシリンジの軸方向に摺動させられる。
【００５０】
一対の押し子保持部材４，４は、後方の摺動ピン９ａ，９ｂを回動可能に保持しつつ、これら摺動ピンに掛け渡し状に係合された連結部材１４によって一体的に移動するように構成されている。また、上記連結部材１４と、上記ハウジング６の前壁部内面との間には、圧縮バネ１５，１５が介挿されており、上記連結部材１４を介して、一対の上記押し子保持部材４，４を、上記フォーク部４ｂが上記押圧面６ａに近接する方向に弾力付勢している。さらに、ハウジング６の下壁部内面には軸方向に延びる案内凸条１６が形成されており、上記連結部材１４の下面に形成された図示しない凹条と係合させられて、上記連結部材１４を軸方向に案内できるように構成されている。
【００５１】
上記連結部材１４に連結された摺動ピン９ａ，９ｂのうち一方の摺動ピン９ｂは、上記連結部材１４の上面から突出させられるとともに、リンク機構１７が連結されている。
【００５２】
上記リンク機構１７は、一対のリンク部材１７ａ，１７ｂを備えるとともに、これらリンク部材１７ａ，１７ｂが、上下方向軸１７ｃ回りに回動可能に連結されて構成される。上記一方のリンク部材１７ａの前端部が上記摺動ピン９ｂの頭部に連結される一方、後方のリンク部材１７ｂの後端部が、上記ハウジング６の前壁部内面に止着されて後方に延びるサポート部材１８に連結されている。自然状態で、上記リンク機構１７は、上記圧縮バネ１５の弾力によって、一対のリンク部材が略直角の姿勢となるように構成されている。
【００５３】
図７に示すように、上記ハウジング６の下方前壁部の内面には、上記操作部５を回動可能に保持する回動軸１９が設けられている。上記操作部５は、上記ハウジング６の上方に位置する操作体５ａと、この操作体５ａの後方から下方に延びるアーム部５ｂと、上記回動軸１９に回動可能に套嵌保持される回動部５ｃと、上記回動部の前端から上方に延出する押動アーム５ｄと、この押動アーム５ｄの上端部に形成された押動体５ｅとを備えて構成されている。
【００５４】
上記押動体５ｅは、上記操作体５ａを回動操作することにより、上記リンク機構１７の上下方向軸１７ｃ近傍を押動して、上記リンク機構１７が伸長する方向に変形させるように構成している。
【００５５】
図８及び図９に、上記リンク機構１７を伸長させた状態を示す。上記押動体５ｅを介して上記リンク機構１７を伸長させると、前方のリンク部材１７ａが上記摺動ピン９ｂを軸方向前方に押動する。これにより、一対の押し子保持部材４，４がシリンジの軸方向前方に押動させられる。上記摺動ピン９ａ，８ａ，９ｂ，８ｂが、上記軸方向溝１１内を摺動している場合（図１０のＡ〜Ｂ）、上記押し子保持部材４は、上記案内アーム４ａがシリンジの軸方向に向いた状態で移動させられる。この範囲内で、図１１に示すように、上記押し子７のフランジ部７ａを、押圧面６ａに対して直角方向に弾性的に挟圧保持する。
【００５６】
前方の摺動ピン８ａ，８ｂが上記傾斜溝１２に進入すると（図１０のＢ〜Ｃ）、上記押し子保持部材４の案内アーム４ａの方向が変更されて、上記フォーク部４ｂが上記シリンジの軸方向外方に変位させられる。これにより、上記押し子７のフランジ部７ａが挟圧状態から開放されるとともに、上記フォーク部４ｂが、上記フランジ部７ａの半径方向外方に退避させられる。この姿勢においては、フォーク部が押し子と干渉することはなく、上記シリンジを容易に着脱することが可能となる。
【００５７】
さらに、上記フォーク部４ｂを、上記フランジ部７ａの外縁部よりさらに半径方向外方に位置させることより、上記シリンジの外筒部をシリンジ保持手段に固定した状態で、上記押動手段３の押圧面６ａを上記フランジ部７ａに押し当てることができる。このため、シリンジポンプ１にシリンジを容易かつ迅速に装着することもできる。
【００５８】
さらに、本実施形態では、上記ハウジング６の内部に上記案内アーム４ａの軸方向位置を検出できる位置センサ２１を設けている。上記位置センサ２１は、少なくとも、上記案内アーム４ａが軸方向動する範囲でその位置を検出できるように構成されている。このため、上記シリンジ部が存在するかどうかを検出できるばかりでなく、フランジ部７ａの厚さまで検出することが可能となる。これにより、フランジ部７ａの種々の厚さに対応した種々のシリンジが適正に装着されているかどうかを確実に検出して、薬液の注入作業をより安全に行うことができる。
【００５９】
また、上記位置センサ２１は、押動手段３のハウジング６内において、案内アーム４ａの位置を検出できるため、薬液等の付着によって検出精度が低下する恐れもない。
【００６０】
上記圧縮バネ１５の弾力は、シリンジに引圧が生じた場合にも対応できるように設定されている。しかしながら、上記シリンジに手指や異物が衝突して、上記圧縮バネ１５の弾力以上の力が作用することも考えられる。
【００６１】
本実施形態では、図６、図８及び図１１に示すように、上記連結部材１４の片側後部から後方に延出するロックアーム３１と、このロックアームの先端部に形成されるとともに、上記操作部５の押動アーム５ｄに係合しうる爪部３２とを備えるロック機構３３が設けられている。
【００６２】
図１１に示すように、上記ロック機構３３は、上記フォーク部４ｂと押圧面６ａとの間に押し子のフランジ部７ａを挟圧保持した状態において、上記押し子７等に大きな力が作用しても、上記爪部３２が上記押動アーム５ｄに係合して上記フォーク部４ｂに大きな変位を生じないように設定されている。一方、上記フォーク部４ｂを開放する退避姿勢においては、上記押動アーム５ｄが、上記爪部３２に係合しない位置まで回動させられるため、シリンジの着脱作業に支障が生じることはない。上記ロック機構３３を設けることにより、不測の事態に適用できるより安全性の高いシリンジポンプを提供することが可能となる。
【００６３】
本願発明は、上述の実施形態に限定されることはない。実施形態では、リンク機構を用いて押し子保持部材を押動させるように構成したが、カム機構を用いることもできる。
【００６４】
また、実施形態では、一対の押し子保持部材を採用したが、一つの押し子保持部材あるいは３つ以上の押し子保持部材を設けることもできる。
【００６５】
また、本実施形態のロック機構３３は、圧縮バネを採用した場合における不測の事態に対応できる安全装置として構成したものである。上記バネを用いない場合において、フォーク部４と押圧面６ａとの間にフランジ部７ａを挟持した状態で、上記押し子保持部材ないし操作部を位置決め保持できるロック機構を設けることもできる。
【図面の簡単な説明】
【００６６】
【図１】本願発明に係るシリンジポンプの平面図である。
【図２】図１に示すシリンジポンプの正面図である。
【図３】図１に示すシリンジポンプの押動手段の外観斜視図である。
【図４】図３に示す押動手段に、シリンジを装着した状態を示す外観斜視図である。
【図５】押し子保持部材の外観を示す斜視図である。
【図６】図２におけるＶＩ−ＶＩ線に沿う断面図である。
【図７】図６におけるＶＩＩ−ＶＩＩ線に沿う断面図である。
【図８】押し子保持部材を退避させた状態を示す図であり、図６に相当する断面図である。
【図９】押し子保持部材を退避させた状態を示す図であり、図７に相当する断面図である。
【図１０】押し子保持部材の動き及び姿勢を示す説明図である。
【図１１】シリンジを装着した状態において、押し子保持部材と押圧面との間にシリンジのフランジ部が弾性的に挟圧保持されている状態を示す断面図である。
【符号の説明】
【００６７】
１  シリンジポンプ
２  シリンジ保持手段
３  押動手段
４  押し子保持部材
【図１】
0005242972.tif 000002
【図２】
0005242972.tif 000003
【図３】
0005242972.tif 000004
【図４】
0005242972.tif 000005
【図５】
0005242972.tif 000006
【図６】
0005242972.tif 000007
【図７】
0005242972.tif 000008
【図８】
0005242972.tif 000009
【図９】
0005242972.tif 000010
【図１０】
0005242972.tif 000011
【図１１】
0005242972.tif 000012